(57)【要約】      （修正有）【課題】エアコン等へ既に内蔵されている人感センサ等を機械警備装置等と連動させた安価な簡易型機械警備システムを提供する。【解決手段】エアコン等１へ既に内蔵されている人感センサ等を、機械警備装置７等を構成する侵入監視センサ等の代わりに利用し連動させることで、追加的な侵入監視センサ等の設置及び維持に係る費用を省き、安価な簡易型機械警備システムの構築を可能とする。さらに、連動させるエアコン等へ従来機能に加え、空調機能を停止しながら人感センサ等は稼働させる「人感モード」機能を新たに追加することで、より効率的にシステムを運用できる。【選択図】図１
0003229415.tif 000002
【実用新案登録請求の範囲】
【請求項１】
エアコン、空調制御システム、空調システム、空気調和システム、空気調和機及び冷暖房システム等（以降「エアコン等」と呼ぶ）に内臓された人感センサ、人体検知センサ及び人物検出部等（以降「人感センサ等」と呼ぶ）を機械警備装置、警備制御装置及び警備システム等（以降「機械警備装置等」と呼ぶ）と連動させ、警備対象空間への新たな侵入監視センサ及び人体センサ等（以降「侵入監視センサ等」と呼ぶ）の設置を省略することで低コスト化を狙った、簡易型機械警備システム
【請求項２】
請求項１で紹介したシステムを省エネで稼働できるよう、エアコン等としての従来機能に加え、空調機能を停止しながら人感センサ等を稼働せる「人感モード」機能を新たに追加したエアコン等
【考案の詳細な説明】
【技術分野】
【０００１】  本考案は、エアコン等へ内臓された人感センサ等を機械警備装置等と連動させた簡易型機械警備システムに関するものである。
【背景技術】
【０００２】  従来の機械警備装置等は、機械警備対象の空間へ新たに侵入監視センサ等を設置する必要があり、それらの設置及び維持に係る費用が発生していた。
【先行技術文献】
【特許文献】
【０００３】
【特許文献１】特開２０２０−５７３１３号  公報
【特許文献２】特開２００８−２４２７４５号  公報
【特許文献３】特開平１０−４９７８６号  公報
【特許文献４】特開２０１９−１４３９１１（Ｐ２０１９−１４３９１１Ａ）号  公報
【特許文献５】特開２００９−１５６５２９（Ｐ２００９−１５６５２９Ａ）号  公報
【特許文献６】特開平６−２２１６４６号  公報
【特許文献７】特開２０１７−１９８３４８号  公報
【特許文献８】特開２０１５−２１７１９（Ｐ２０１５−２１７１９Ａ）号  公報
【特許文献９】特開２０１２−１４９８５８（Ｐ２０１２−１４９８５８Ａ）号  公報
【特許文献１０】特開２０１０−１５９９０５（Ｐ２０１０−１５９９０５Ａ）号  公報
【特許文献１１】特開２００８−１０１８８０（Ｐ２００８−１０１８８０Ａ）号  公報
【特許文献１２】特許第３９６３９３７号（Ｐ３９６３９３７）号  公報
【特許文献１３】特開平７−１９０４５７号  公報
【特許文献１４】特開２００５−１０６３５５（Ｐ２００５−１０６３５５Ａ）号  公報
【特許文献１５】特許第３０９８０８７号（Ｐ３０９８０８７）号  公報
【特許文献１６】特開２０１６−４１９８９（Ｐ２０１６−４１９８９Ａ）号  公報
【特許文献１７】特開２０１１−１７４６６５（Ｐ２０１１−１７４６６５Ａ）号  公報
【特許文献１８】特開平８−１７８３９０号  公報
【特許文献１９】特開２０１９−１７８８１１（Ｐ２０１９−１７８８１１Ａ）号  公報
【特許文献２０】特開２００８−２２４１３２（Ｐ２００８−２２４１３２Ａ）号  公報
【特許文献２１】特開２０１９−１７４０８２（Ｐ２０１９−１７４０８２Ａ）号  公報
【特許文献２２】特開２００７−５７１０６（Ｐ２００７−５７１０６Ａ）号  公報
【特許文献２３】特開２００４−２３２９８７（Ｐ２００４−２３２９８７Ａ）号  公報
【考案の概要】
【考案が解決しようとする課題】
【０００４】  機械警備対象の空間へ新たに侵入監視センサ等を設置するには、相応の初期費用と維持費用がかかる。しかしながら、エアコン等へ既に内臓されている人感センサ等をそれらの代わりに利用すれば、追加的な侵入監視センサ等の設置及び維持に係る費用は発生せず、安価で簡易な機械警備システムの構築が可能となる。
【課題を解決するための手段】
【０００５】  本考案は、エアコン等へ既に内臓されている人感センサ等を、機械警備装置等を構成する侵入監視センサ等の代わりに利用し連動させることで、追加的な侵入監視センサ等の設置及び維持に係る費用を省き、安価な簡易型機械警備システムの構築を可能とする。
さらに、これまで紹介してきた本システムを省エネで稼働できるよう、連動させるエアコン等へ従来機能に加えて、空調機能を停止しながら人感センサ等は稼働せる「人感モード」機能を新たに追加する。
なおエアコン等に本機能がなく、従来機能の中で空調機能と人感センサ等が同時に稼働していても、本システムの運用上問題ない。しかしながら、そもそも低コスト化を狙ったシステムであるので、日々の運用において無駄な電気代を削減することも、本システムが目指すところである。
【考案の効果】
【０００６】  これまで紹介してきた簡易型機械警備システムは、エアコン等の人感センサ等を利用するため、機械警備対象の空間がエアコン周辺に限定されるというデメリットがある。
しかしながら通常エアコンの設置は、換気等の都合から窓のある部屋にすることがほとんどである。これはつまり、外部からの侵入の可能性がある部屋にエアコンが設置されていることを意味し、機械警備対象の空間がエアコン周辺に限定されるということは、機械警備上の欠陥を意味しない。
上述のようにデメリットを最小限に抑えながら、エアコン等へ既に内臓されている人感センサ等を利用すれば、追加的な侵入監視センサ等の設置及び維持に係る費用を省くことができ、安価な簡易型機械警備システムの構築が可能となる。
【図面の簡単な説明】
【０００７】
【図１】簡易型機械警備システムの全体構成を示す図である。
【図２】「人感モード」機能の概要を示す図である。
【考案を実施するための形態】
【０００８】  図１の示す通り、侵入監視センサ等を人感センサ等内臓エアコン等に置き換えた以外に、簡易型機械警備システムの全体構成として従来のものから大きく変わる点はない。そのため、エアコン等を中心に機械警備対象を決定した後は、従来の機械警備装置等と同様にシステムを組んでいけば良い。
またエアコン等についても、これまでの構造を大きく変える必要のあるものではない。ただ、空調機能を停止しながら人感センサ等は稼働せる「人感モード」機能は、空調機能を主な存在理由とするエアコン等においては従来想定してこなかった使用方法であるので、そうした稼働パターンを機能上新たに追加する必要がある。
【実施例】
【０００９】  上述のように、侵入監視センサ等を人感センサ等内臓エアコン等に置き換えた以外に、機械警備システムの全体構成として従来のものから大きく変わる点はないため、操作方法等も大きく変わることはない。
エアコン等は機械警備システムの一部として組み込まれているものの、平時（警備解除状態）ではあくまでエアコン等としての機能しか発揮しない。エアコン等が機械警備システムの一部として侵入監視センサ等の機能を発揮するのは、システムが警備状態であるときのみである。
なお、エアコン等の電源が入っており、従来機能の中で空調機能と人感センサ等が同時に稼働していても、警備状態の本システムと連動するものとする。省エネという観点では人感モードが望ましいが、警備解除状態からあえて警備状態にしたユーザの意思を尊重し、人感モードでもそうでなくても、人感センサ等が稼働している以上は機械警備システムとしての機能を立ち上げる。
また、警備状態にしようとした際にエアコン等の電源が入っていない場合には、正常に機械警備が開始できない旨を警告音やアナウンス等でユーザに知らせる。
【産業上の利用可能性】
【００１０】  警察庁が発表している「平成３０年における警備業の概況」によれば、２０１８年時点で機械警備対象となっている住宅の戸数は１，６３１，６５０戸である。一方、（一社）日本冷凍空調工業会の発表している統計によれば、直近データである２０１６年時点で家庭用エアコンの国内出荷台数は８，５２７，５１６台である。
両者の数値の開きを単純に比較することは難しいが、人感センサ等内蔵エアコン等を利用した安価な簡易型機械警備システムの構築は、機械警備の市場規模を大きく拡大させる可能性を持っていると言える。
機械警備システムを一から構築することは、コスト面その他からユーザーにとって導入時の大きなハードルとなり得る。しかしながら、エアコン等を利用した安価で追加的な機械警備サービスという位置付けでシステムを構築できれば、導入件数は一気に跳ね上がる可能性がある。
さらに、エアコン等が内臓する機能の一つに新たな付加価値を加えたことは、エアコン等の単価それ自体を引き上げることにも寄与する可能性がある。
以上のように、本考案は機械警備市場及びエアコン等市場の双方に大きな影響を与えるものと考える。
【符号の説明】
【００１１】  １  人感センサ等内臓エアコン等
２  人体検知結果取得部
３  警備モード判断部
４  警備モード切替指示部
５  警備装置
６  監視センタ
７  警備制御装置
【図１】
0003229415.tif 000003
【図２】
0003229415.tif 000004
【手続補正書】
【提出日】令和2年8月27日(2020.8.27)
【手続補正１】
【補正対象書類名】実用新案登録請求の範囲
【補正対象項目名】請求項１
【補正方法】変更
【補正の内容】
【請求項１】
エアコン、空調制御システム、空調システム、空気調和システム、空気調和機及び冷暖房システム等（以降「エアコン等」と呼ぶ）に内蔵された人感センサ、人体検知センサ及び人物検出部等（以降「人感センサ等」と呼ぶ）を機械警備装置、警備制御装置及び警備システム等（以降「機械警備装置等」と呼ぶ）と連動させ、警備対象空間への新たな侵入監視センサ及び人体センサ等（以降「侵入監視センサ等」と呼ぶ）の設置を省略することで低コスト化を狙った、簡易型機械警備システム
【手続補正２】
【補正対象書類名】実用新案登録請求の範囲
【補正対象項目名】請求項２
【補正方法】変更
【補正の内容】
【請求項２】
請求項１に記載の簡易型機械警備システムを省エネで稼働できるよう、エアコン等としての従来機能に加え、空調機能を停止しながら人感センサ等を稼働せる「人感モード」機能を新たに追加したエアコン等